(57)【要約】      （修正有）【課題】消臭芳香容器の残液を無くし、芳香の揮散が不必要な場合に、消臭機能を維持しつつ、芳香揮散を止める消臭芳香容器を提供する。【解決手段】消臭芳香剤容器の上部には消臭剤容器を設けるとともに、上部又は下部には芳香剤充填容器を設け、消臭剤容器には消臭剤の加工体又は消臭液を浸透した繊維、織布、不織布、スポンジ等を配置し、芳香剤充填容器は液体の芳香剤を貯留し、該芳香剤充填容器に隣接して紙、繊維、織布、不織布、スポンジ等からなる揮散補助シートを設ける。使用時には芳香剤充填容器を回転させ上にし揮散補助シートが下に位置するようにし、揮散補助シートの芳香剤充填容器との隣接部には細孔開口部を設け、細孔開口から芳香剤を揮散補助シートに落下拡散させるとともに芳香剤を揮散させ、消臭剤容器で悪臭を吸着分解して、芳香と消臭の作用を得る。【選択図】図４
0003181584.tif 000002
【実用新案登録請求の範囲】
【請求項１】
消臭芳香剤容器の上部には消臭剤容器を設けるとともに上部又は下部には芳香剤充填容器を設け、
前記消臭剤容器には消臭剤の加工体又は消臭液を浸透、或いはコーティング処理した繊維、織布、不織布、又はスポンジを配置し、
前記芳香剤充填容器は液体の芳香剤を貯留し、該芳香剤充填容器に隣接して紙、繊維、織布、不織布、又はスポンジからなる揮散補助シートを設け、
使用時には該芳香剤充填容器を回転して上にして該揮散補助シートが下に位置するようにし、該揮散補助シートの芳香剤充填容器との隣接部には細孔開口部を設け、
該細孔開口から芳香剤を前記揮散補助シートに落下拡散させるとともに芳香剤を空気中に揮散させ、消臭芳香剤容器の端部に位置した消臭剤容器には悪臭吸着分解部を配置して悪臭を吸着して分解し、芳香と消臭の両作用を得ることを特徴とする消臭芳香剤容器。
【請求項２】
前記悪臭吸着分解部の悪臭分解成分としては、硫酸銅、銅クロロフィンＮａ、硫酸亜鉛から選択されることを特徴とする請求項１に記載の消臭芳香剤容器。
【請求項３】
前記揮散補助シートは立体的な形状としたことを特徴する請求項１に記載の消臭芳香剤容器。
【請求項４】
前記消臭機能の持つ繊維、不織布、又はスポンジは、コットン、レーヨン、ウール、ビニロン、アクリル繊維、ナイロン繊維、ポリエステル繊維、アセテート繊維、ポリエチレン繊維、ポリプロピレン繊維、ポリエチレン繊維、絹，麻、ケナフ、パルプ、スポンジから選択される素材に亜鉛化合物、或いは銅化合物を含浸、或いはコーティングしたことを特徴とする請求項１に記載の消臭芳香容器。
【請求項５】
前記揮散補助シートは、コットン、レーヨン、ウール、ビニロン、アクリル繊維、ナイロン繊維、ポリエステル繊維、アセテート繊維、ポリエチレン繊維、ポリプロピレン繊維、ポリエチレン繊維、絹繊維、麻繊維、ケナフ繊維、パルプ繊維から選択される素材から形成される不織布又は織布又はスポンジを利用したことを特徴とする請求項１に記載の消臭芳香容器。
【請求項６】
使用時に消臭芳香剤容器を上下に逆転させた後、前記揮散補助シートの芳香剤充填容器との隣接部には貫通用針状突起を設け、該貫通用針状突起によって、芳香剤充填容器の下端部に細孔を開口して細孔開口部を設け、芳香剤を前記揮散補助シートに落下拡散させるようにしたことを特徴とする請求項１乃至５の記載から選択される消臭芳香容器。
【請求項７】
芳香の揮散の不要な場合には、消臭芳香剤容器を再度逆転させて元の状態にして、芳香剤充填容器の細孔開口を上向きにして芳香剤の不要な使用を防止したことを特徴とする請求項１乃至６の記載から選択される消臭芳香容器。
【請求項８】
使用時に消臭芳香剤容器を上下に逆転させた後、前記揮散補助シートの芳香剤充填容器との隣接部には細孔滴下管とバルブとからなる細孔開口部を設け、該細孔開口部によって、芳香剤を前記揮散補助シートに落下拡散させるようにしたことを特徴とする請求項１の記載から選択される消臭芳香容器。
【考案の詳細な説明】
【技術分野】
【０００１】
本考案は、消臭と芳香を周囲に発散する消臭芳香容器に関するもので、特に、上下に回転可能とした消臭芳香容器に関するものである。
【背景技術】
【０００２】
従来の消臭芳香容器は、例えば、図１０及び１１に示すようなものが知られており、すなわち、図１０において、芳香容器ａ内の貯蔵部ｂに充填された液体状の芳香剤を、毛細管現象によって細い管ｃで吸い上げて容器上部に設定された拡散部ｄスポンジ、或いはシートに拡散させて、室温によって芳香成分を揮散させる揮散部ｄから更に空気中に揮散されるものである。又、芳香容器ａ内の貯蔵部ｂの液体として消臭芳香剤Ｃを揮散することによって消臭と芳香の両効果を期待したものである。
また、図１１に示す消臭芳香容器は、更に芳香容器ａ内に浸漬した棒状部材ｅに成形された不織布、或いは織布を使用時に引き上げて露出させ、その露出面からの消臭芳香剤を揮散させ、更に、揮散放出部ｆから空気中に揮散させたものである。
【０００３】
更に、特許文献１に示す揮散装置は、図１２に示しようなもので、消臭芳香容器gの開口hを逆さまにして、揮散体iに消臭芳香剤Ｃの液体をしみ込ませて、揮散体iから空気中に揮散させたものである。
これら、従来の置き型の消臭剤と芳香剤が一体となっている従来の消臭芳香容器の消臭剤は、悪臭を芳香成分で包み込んでしまう消臭方法が主で、所謂、マスキング法とペアリング法が採用されている。すなわち、マスキング法は芳香成分を強くして悪臭をごまかしてしまう方法であり、ペアリング法は悪臭の元となる化学成分を良い香りの元となる構成成分に取り込んでしまう方法である。
【先行技術文献】
【特許文献】
【０００４】
【特許文献１】特開２０１２−１４３２９２号公報
【考案の概要】
【考案が解決しようとする課題】
【０００５】
図１０及び図１１に示した従来の芳香消臭剤容器においては、開封して設定後に徐々に毛細管現象によって吸い上げられた液が揮散して液量が低下するが、一定期間経過後は殆ど低下せずに残ってしまう傾向にあった。更に、設定の初期には芳香がきつく、時間経過と共に徐々に芳香は低下していき、残液があるにも関わらず殆ど芳香を発しない芳香消臭機能不全の状態になった。残液があることは経済的に好ましくないので容器を手で振って容器内の残液を攪拌したが液の吸い上げ状況は変わらず、従って消臭芳香機能も回復しなかった。
そこで、この考案の考案者は、図１０及び図１１に示した消臭芳香剤を実際に閉鎖空間で設定してみた。そして、詳細に観察・検討していくうちに、液量の減少が停止する、つまり消臭芳香機能が無くなる原因を究明することができた。容器内の液量と管の径が吸引力に影響すること、更に液自体が揮発しやすい成分と不揮発性成分（水分等）の混合物で構成されている結果、揮発しやすい成分が先に消化され、比較的不揮発性の成分の消化が遅れる結果、芳香が減少した残液となってしまう問題点があった。
【０００６】
また、図１２の特許文献１に示す消臭や芳香の揮散装置は、消臭芳香容器ｇを逆さにして滴下しうるものではあるが、常に滴下するので、芳香が必要でない夜間等にも消臭芳香の溶液を消耗してしまうといった問題点があった。
さらに、従来の消臭芳香容器には、消臭効果と芳香効果とを同時に期待するものであって、悪臭だけを吸着除去することができないといった不都合もあった。
いずれにしても、従来の置き型の消臭芳香容器は、消臭剤と芳香剤が一体となっているのが一般的であって、悪臭を芳香成分で包み込んでしまう消臭方法が主で、所謂、マスキング法とペアリング法が採用されていた。すなわち、マスキング法は芳香成分を強くして悪臭をごまかしてしまう方法であり、悪臭自体を除去分解するものではない。
【０００７】
この考案が解決しようとする課題は、消臭芳香容器の残液を無くして一定にした消臭芳香機能を長期間維持するためには容器の構造をどのように設定すればよいかという点にあり、消臭芳香容器の残液を無くして無駄なく消費する消臭芳香容器を提供することである。また、芳香の揮散が不必要な場合には、消臭機能を維持しつつ、簡単に芳香揮散を止めることができる消臭芳香容器を提供することである。更に、消臭機能は悪臭自体を吸着して分解除去する消臭芳香容器を提供するものである。
【課題を解決するための手段】
【０００８】
本考案者は、消臭芳香容器において、残液が出る原因を究明できた考案者は、残液が残らないように有効的に消臭芳香機能を最後まで維持するには、液を吸い上げるのではなく滴下すれば残液が無くなると考え、消臭芳香容器内の消臭芳香液を有効的に使いきるにはどのような容器スタイルにするのかという点についていろいろと考察し、試作を重ねた。
そして、芳香容器の開口から芳香液が漏れないようにセロテープ(登録商標)で封をした後、芳香剤充填容器を上下逆さまにした状態で消臭芳香液の液量の変化を観察した。その結果、期待どおりに短時間で容器内の液を無くする、つまり１００％落下消費することを確認した。さらに、消臭と芳香を分離した設定が各々の効果を発揮させるのに最適であることがわかった。考案者は、この事実を基にして更に研究を重ねた結果、この考案を完成させることができた。
【０００９】
この考案にかかる消臭芳香容器は前記の課題を解決したものであって、次のとおりのものである。
すなわち、請求項１の考案は、消臭芳香剤容器の上部には消臭剤容器を設けるとともに上部又は下部には芳香剤充填容器を設け、前記消臭剤容器には消臭剤の加工体又は消臭液を浸透、或いはコーティング処理した繊維、織布、不織布、又はスポンジを配置し、前記芳香剤充填容器は液体の芳香剤を貯留し、該芳香剤充填容器に隣接して紙、繊維、又はスポンジからなる揮散補助シートを設け、使用時には該芳香剤充填容器を回転して上にして該揮散補助シートが下に位置するようにし、該揮散補助シートの芳香剤充填容器との隣接部には細孔開口部を設け、該細孔開口から芳香剤を前記揮散補助シートに落下拡散させるとともに芳香剤を空気中に揮散させ、消臭芳香剤容器の端部に位置した消臭剤容器には悪臭吸着分解部を配置して悪臭を吸着して分解し、芳香と消臭の両作用を得ることを特徴とする消臭芳香剤容器である。
請求項２の考案は、請求項１に記載の消臭芳香剤容器において、前記悪臭吸着分解部の悪臭分解成分として、硫酸銅、銅クロロフィンＮａ、硫酸亜鉛から選択されることを特徴とする。
請求項３の考案は、請求項１に記載の消臭芳香剤容器において、前記揮散補助シートは立体的な円錐状等の形状としたことを特徴する。
【００１０】
請求項４の考案は、請求項１に記載の消臭芳香剤容器において、前記消臭機能の持つ繊維、織布、不織布、又はスポンジは、コットン、レーヨン、ウール、ビニロン、アクリル繊維、ナイロン繊維、ポリエステル繊維、アセテート繊維、ポリエチレン繊維、ポリプロピレン繊維、ポリエチレン繊維、絹，麻、ケナフ、パルプ、スポンジから選択される素材に亜鉛化合物、或いは銅化合物を含浸、或いはコーティングしたことを特徴とする。
請求項５の考案は、請求項１に記載の消臭芳香剤容器において、前記揮散補助シートは、コットン、レーヨン、ウール、ビニロン、アクリル繊維、ナイロン繊維、ポリエステル繊維、アセテート繊維、ポリエチレン繊維、ポリプロピレン繊維、ポリエチレン繊維、絹繊維、麻繊維、ケナフ繊維、パルプ繊維から選択される素材から形成される不織布又は織布又はスポンジを利用したことを特徴とする。
請求項６の考案は、請求項１乃至５の記載から選択される消臭芳香容器において、使用時に消臭芳香剤容器を上下に逆転させた後、前記揮散補助シートの芳香剤充填容器との隣接部には貫通用針状突起を設け、該貫通用針状突起によって、芳香剤充填容器の下端部に細孔を開口して細孔開口部を設け、芳香剤を前記揮散補助シートに落下拡散させるようにしたことを特徴とする。
請求項７の考案は、請求項１乃至６の記載から選択される消臭芳香容器において、芳香の揮散の不要な場合には、消臭芳香剤容器を再度逆転させて元の状態にして、芳香剤充填容器の細孔開口を上向きにして芳香剤の不要な使用を防止したことを特徴とする。
請求項８の考案は、請求項１に記載の消臭芳香剤容器において、使用時に消臭芳香剤容器を上下に逆転させた後、前記揮散補助シートの芳香剤充填容器との隣接部には細孔滴下管とバルブとからなる細孔開口部を設け、該細孔開口部によって、芳香剤を前記揮散補助シートに落下拡散させるようにしたことを特徴とする。
【００１１】
つまり、芳香剤を充填した芳香剤充填容器の上部中央に管上の中央部が凹の突起をつくり、その突起を突き刺す状態で針状突起物から紙、不織布、或いはスポンジ状の揮散補助シートを設定し、更に揮散補助シートを固定する蓋容器の上面部に銅化合物や亜鉛化合物の消臭液を含浸、或いはコーティングした不織布又は織物、或いは繊維又はスポンジを設定したものである。
また、芳香剤が充填された芳香剤充填容器と液の揮散補助シートとの接点は凹凸の管以外に簡易バルブ（栓）でもよく、使用時に容器を逆さまにした後に両者間を貫通させて芳香液がシートに浸潤・拡散して持続的に芳香を発するものである。又、上下逆転して容器底部に位置した消臭剤を処理した繊維、織布、不織布、スポンジが空気中のアンモニア臭、トリメチルアミン臭等の悪臭を吸着分解して消臭するものである。
【考案の効果】
【００１２】
この考案に係る回転式消臭芳香容器においては、芳香剤を充填した容器を上下に回転させ、容器と揮散補助シート間に設定された管、或いはバルブ（栓）を開封することによって芳香液が徐々に揮散補助シートに滴下され、長期間にわたって芳香を発する作用をする。
更に回転で芳香剤充填容器の底辺部に設定した消臭剤を含浸、或いはコーティングした繊維、織布、不織布又はスポンジがアンモニア臭やトリメチルアミン臭等の悪臭を分解して消臭する作用を発揮する。又、夜間等の芳香が必要でない場合は、消臭機能を維持しつつ、上下回転させて使用前の状態にすると更に有効に消臭芳香の有効期間を延長させることが可能である。
バルブ仕様の場合はバルブを閉めることによって更に厳密な揮散制御が可能となり長期間の効果が期待できる。更に芳香液に水溶性高分子、油性物質（天然油、合成油）、界面活性剤を添加して芳香液の液性を変える事によって揮散補助シートに移行して拡散した液からの芳香成分の揮散の持続化を可能とし、結果として芳香効果の長期間の持続が可能となる。
揮散補助シートは円錐形や多角形等の立体的な構成にすることによって、より拡散性の高い芳香性を維持できる。
【図面の簡単な説明】
【００１３】
【図１】実施例１の消臭芳香剤容器の未使用及び芳香の揮散の不要な場合の斜視図、
【図２】図１での消臭芳香剤容器を回転して使用状態にする斜視図、
【図３】図１での芳香剤充填容器の斜視図、
【図４】図１での消臭芳香剤容器を回転して使用状態にした斜視図
【図５】図４での消臭芳香剤容器の中央での縦方向の断面図、
【図６】図１の消臭芳香剤容器を手動で回転するようにした斜視図、
【図７】実施例２の細孔開口部の部分拡大図、
【図８】実施例３の消臭芳香剤容器を回転して使用状態にした斜視図、
【図９】図８の細孔滴下管の蓋部を嵌めた状態の斜視図、
【図１０】従来の芳香剤充填容器の斜視図、
【図１１】従来の芳香剤充填容器の斜視図、
【図１２】更に別の従来の芳香剤充填容器の斜視図である。
【００１４】
本考案の好適な消臭芳香容器の実施例を図面に沿って説明する。
【実施例１】
【００１５】
図１〜６は本考案の実施例１の構造を示す図面であり、図１は未使用及び芳香の揮散の不要な場合の状態図、図２〜５は回転した使用状態を説明する図、図６は消臭芳香容器を手動で回転する消臭芳香容器の図である。
図１は、使用前の状態の円筒状の消臭芳香容器１であり、容器回転支持スタンド２の一対の回転支持部２１で該消臭芳香容器１の連絡部材１１の適所に設けた回転機構１２で回転可能に支持している。この使用前の状態では消臭芳香容器１は上部に消臭剤(固形又は液体を含浸)Ａが充填された消臭剤容器３を配置し、その下部に円錐状の揮散補助シート４が着脱自在に設けられている。
芳香物質の揮散補助シート４の立体的な円錐状の形状の頂部に貫通用針状突起４１が設けられ、その下部には芳香剤容器５が設けられ、その芳香剤容器５の内側に芳香液Ｂが充填された芳香剤充填容器５１が収納されている。
【００１６】
図２は、使用に際し消臭芳香容器１の上下を逆にするように回転させ、下側に位置する揮散補助シート４を外した状態を示すものであり、下側に位置する消臭芳香容器１の内部には消臭剤Ａを含浸、或いはコーティングした繊維又は織布又は不織布又はスポンジの悪臭吸着分解部３１として充填して消臭機能を有するものとしている。この繊維又は織布又は不織布の材料としては、コットン、レーヨン、ウール、ビニロン、アクリル繊維、ナイロン繊維、ポリエステル繊維、アセテート繊維、ポリエチレン繊維、ポリプロピレン繊維、ポリエチレン繊維、絹，麻、ケナフ、パルプから選択される素材繊維がよく、これに消臭剤Ａとして亜鉛化合物、或いは銅化合物を含浸、或いはコーティングしたものが好ましい。
回転により上側に位置する芳香剤容器５の内部には、芳香液Ｂが充填された芳香剤充填容器５１が収納され、この芳香剤充填容器５１は、図３に示すように、円筒部５１１と底部５１２と円錐状部５１３から形成され、円錐状部５１３の頂部には凹部５１４が設けられ、この凹部５１４は、後述するように使用に際して、貫通用針状突起４１によって、容易に細孔開口５１５が形成されるように、芳香剤充填容器５１と一体化した同質の薄い素材、或いは、薄いアルミ箔、或いは、フィルムで塞がれている。
【００１７】
次に、外した前記揮散補助シート４を元の状態に嵌めて図４の状態にし、図５に示すように、揮散補助シート４の円錐状の頂部に貫通用針状突起４１によって、芳香剤充填容器５１の最下部に位置する凹部５１４の芳香剤充填容器５１と一体化した同質の薄い素材、或いは、薄いアルミ箔、或いは、フィルムを破り、細孔開口５１５を形成する。
したがって、この細孔開口５１５から芳香液Ｂが漏れて揮散補助シート４の頂部に滴下し、円錐状の揮散補助シート４の全体に拡がり、徐々に芳香を揮散補助シート４から芳香物質を周囲に揮散する。なお、揮散補助シート４は円錐状等の立体的な構成にすることによってより高い芳香性を維持できる。
前記揮散補助シート４は、コットン、レーヨン、ウール、ビニロン、アクリル繊維、ナイロン繊維、ポリエステル繊維、アセテート繊維、ポリエチレン繊維、ポリプロピレン繊維、ポリエチレン繊維、絹繊維、麻繊維、ケナフ繊維、パルプ繊維から選択される素材繊維から形成される不織布又は織布又はスポンジであることが好ましい。
更に、芳香液Ｂに水溶性高分子、油性物質（天然油、合成油）、界面活性剤を添加して芳香液Ｂの液性を変える事によって揮散補助シートに移行して拡散した液からの芳香成分の揮散の持続化を可能とし、結果として芳香効果の長期間の持続が可能となる。
【００１８】
こうして、使用状態である図４の状態した消臭芳香容器１は、芳香が揮散補助シート４から芳香物質を周囲に揮散するとともに、消臭剤容器３の悪臭吸着分解部３１の消臭剤Ａの消臭物質が消臭芳香容器１の側面の網部３２から悪臭を吸着し分解して周囲の空気を消臭する。
また、芳香の揮散の不要な場合には、図４の状態を、消臭芳香容器１を再度逆転させ図１のような元の状態にして、芳香剤充填容器５１の細孔開口を上向きすれば、芳香剤Ａの不要な使用を防止することができ、例えば、夜間等の不使用時に元に回転させて、消臭機能を維持しつつ、芳香液の無駄な使用を防止することができる。
なお、容器回転支持スタンド２の基礎部２２は皿状部２３が設けられ、余分な液体を収納して、床等にこぼれるのを防止すと共に、その部分において芳香成分を無駄なく揮散する。このように、消臭芳香容器１の回転にかかわらず、消臭効果は２４時間連続して、機能することが可能である。
なお、実施例１においては、消臭芳香容器１の上下を逆に位置するのは、容器回転支持スタンド２を用いたが、図６に示すように、消臭芳香容器１だけを手動で上下を逆に位置するようにしてもよい。
【００１９】
このように、本考案の実施例の回転可能な消臭芳香容器１においては、芳香剤を充填した容器を上下に回転させ、容器と揮散補助シート間に設定された管、或いはバルブ(栓)を開封することによって芳香液が徐々に揮散補助シート４に滴下され、長期間にわたって芳香を発する作用をする。
更に、回転で芳香剤充填容器５１の底辺部に設定した消臭剤を含浸、或いはコーティングした繊維、織布、不織布、スポンジがアンモニア臭やトリメチルアミン臭等の悪臭を吸着分解して消臭する作用を発揮する。又、夜間等の芳香が必要でない場合は、消臭機能を維持しつつ、上下回転させて使用前の状態にすると更に有効に芳香の有効期間を延長させることが可能である。
【００２０】
また、本考案の開発した消臭剤は金属イオンの持つ酸素活性化能を利用した消臭機能を利用するものである。金属イオンは酸素活性化能を持っており、空気中の酸素を捕捉・活性化させて活性酸素を発生させる触媒になる。金属イオンや金属錯体を消臭触媒として利用した消臭剤は長期間安定した消臭能力を発揮し、具体的には硫酸銅、銅クロロフィンＮａ、硫酸亜鉛等が使われる。これらの悪臭分解吸収成分を加工した紙、繊維等は揮散ではなく、空中の悪臭成分を吸着して分解するので、従来型は消臭芳香成分は揮散であるが、本考案は消臭効果は吸着・分解であり芳香成分は揮散となり、この方法で効率的な消臭・芳香効果が得られる。
【実施例２】
【００２１】
図７は本考案の実施例２の構造を示す図面であるが、この実施例２の消臭芳香容器１の消臭剤容器３や芳香剤容器５の機能は実施例１とほぼ同じ構成であるので説明は省略するが、実施例２が実施例１と構成が異なるのは細孔開口部である。
図７に示すように、芳香剤充填容器５１の円錐状部５１３の頂部に極めて細い管の細孔滴下管５２と、その流路途中にバルブ５３を設け、バルブ５３は滴下栓５３１の滴下口５３２を回動して芳香液Ｂの落下量の調整したものである。
実施例２の芳香剤容器５では、バルブ５３仕様であり、バルブ５３を閉めることによって更に厳密な揮散制御が可能となり長期間の効果がある。なお、大凡の作用、効果は実施例１の消臭芳香容器１と同じである。
【実施例３】
【００２２】
図８、図９は本考案の実施例３の構造を示す図面であるが、実施例２の消臭芳香容器１の消臭剤容器３や芳香剤容器５の機能は、実施例１とほぼ同じ構成であるので説明は省略するが、実施例３が実施例１と構成が異なるのは、消臭剤容器３と芳香剤容器５とが消臭芳香容器１の上部の同じ端部に配置され、芳香剤充填容器５１の円錐状部５１３の頂部に極めて細い管の細孔滴下管５４が設けられ、細孔滴下管５４の先端部５４１の開口には隣接して平らな揮散補助シート４２を設け、該揮散補助シート４２の全体に拡がり、徐々に芳香を揮散補助シート４２から芳香物質を周囲に揮散する。また、細孔滴下管５４の先端部５４１を使用前に蓋部５４２での被覆、或いは封をしておき、使用時に被覆栓を除去したり、密封管をカットして開封することによって滴下を開始することができる。なお、大凡の作用、効果は実施例１の消臭芳香容器１と同じである。
【００２３】
なお、本考案の特徴を損なうものでなければ、上述した実施例に限定されるものでないことは勿論である。
【符号の説明】
【００２４】
Ａ・・消臭剤(固形又は液体を含浸)、Ｂ・・芳香液、
１・・消臭芳香容器、１１・・連絡部材、１２・・回転機構、
２・・容器回転支持スタンド、２１・・回転支持部、２２・・基礎部、
２３・・皿状部、
３・・消臭剤容器、３１・・悪臭吸着分解部、３２・・網部、
４、４２・・揮散補助シート、４１・・貫通用針状突起、
５・・芳香剤容器、５１・・芳香剤充填容器、５１１・・円筒部、
５１２・・底部、５１３・・円錐状部、５１４・・凹部、
５２・・細孔滴下管、５３・・バルブ、５３１・・滴下栓、
５３２・・滴下口、
５４・・細孔滴下管、５４１・・先端部、５４２・・蓋部  
【図１】
0003181584.tif 000003
【図２】
0003181584.tif 000004
【図３】
0003181584.tif 000005
【図４】
0003181584.tif 000006
【図５】
0003181584.tif 000007
【図６】
0003181584.tif 000008
【図７】
0003181584.tif 000009
【図８】
0003181584.tif 000010
【図９】
0003181584.tif 000011
【図１０】
0003181584.tif 000012
【図１１】
0003181584.tif 000013
【図１２】
0003181584.tif 000014